【手続補正書】
【提出日】平成24年8月29日(2012.8.29)
【手続補正１】
【補正対象書類名】特許請求の範囲
【補正対象項目名】全文
【補正方法】変更
【補正の内容】
【特許請求の範囲】
【請求項１】
パチンコ遊技機の遊技盤に設けられる可動式演出表示装置であって、
前記遊技盤と当該遊技盤に形成した中央開口部を通しその前方を臨むように固定的に支持される表示器との間に移動可能に介装される表示パネルを備えて、
被動歯車手段は、駆動歯車手段との第１噛合位置にて停止状態にあるとき前記表示パネルを前記遊技盤の前記中央開口部の上側に位置する格納位置に維持し、前記駆動歯車手段との第２噛合位置にて停止状態にあるとき前記表示パネルを前記遊技盤の前記中央開口部を通しその前方を表示面により臨むべく位置する演出表示位置に維持し、また、前記駆動歯車手段による前記第２噛合位置から前記第１噛合位置への一方向回転の際には、逆方向回転して前記表示パネルを前記演出表示位置から前記格納位置へ上動させるようになっており、
前記表示パネルが前記格納位置にあるときに前記駆動歯車手段が前記第１噛合位置から前記一方向回転すると、前記被動歯車手段が前記駆動歯車手段から解離して前記表示パネルを前記演出表示位置まで瞬時に落下させるようにした可動式演出表示装置。
【請求項２】
パチンコ遊技機の遊技盤に設けられる可動式演出表示装置であって、
前記遊技盤と当該遊技盤に形成した中央開口部を通しその前方を臨むように固定的に支持される表示器との間に介装される表示パネルと、
前記遊技盤の裏側に設けられる駆動手段とを備えて、
当該駆動手段は、
電動機と、この電動機の一方向回転に伴い当該電動機とともに同一方向回転する駆動歯車群と、この駆動歯車群と噛合して当該駆動歯車群とは逆方向回転するように構成されて前記表示パネルを支持する被動歯車手段とを具備し、
前記被動歯車手段は、前記電動機の停止状態にて前記駆動歯車手段との第１噛合位置にあるとき前記表示パネルを前記遊技盤の前記中央開口部の上側に位置する格納位置に維持し、前記電動機の停止状態にて前記駆動歯車手段との第２噛合位置にあるとき前記表示パネルを前記遊技盤の前記中央開口部を通しその前方を表示面により臨むべく位置する演出表示位置に維持し、また、前記駆動歯車手段による前記電動機の前記一方向回転に伴う前記第２噛合位置から前記第１噛合位置への前記同一方向回転の際には、前記逆方向回転して前記表示パネルを前記演出表示位置から前記格納位置へ上動させるようになっており、
前記表示パネルが前記格納位置にあるときに前記駆動歯車手段が前記電動機の前記一方向回転に応じて前記第１噛合位置から前記同一方向回転すると、前記被動歯車手段が前記駆動歯車手段から解離して前記表示パネルを前記格納位置から前記演出表示位置まで瞬時に落下させるようにした可動式演出表示装置。
【請求項３】
前記駆動歯車手段は、
一連の歯を所定の等角度間隔にて有し前記電動機の前記一方向回転に伴い前記同一方向回転する第１駆動歯車と、
所定数の歯からなる複数の歯群を等角度間隔にて有し、前記第１駆動歯車に同軸的に接合されて当該第１駆動歯車とともに前記同一方向回転する第２駆動歯車であって前記各所定数の歯のうち前記電動機の前記一方向回転に対する逆方向回転の方向端側に位置する歯にて前記第１駆動歯車の前記各歯と同一位相角にて位置するように形成してなる第２駆動歯車とを具備してなり、
前記被動歯車手段は、
複数の歯からなる単一の歯群とこの単一の歯群の前記複数の歯のうち前記電動機の前記一方向回転の方向端側及び前記逆方向回転の方向端側にそれぞれ位置する各歯の間に前記所定の等角度間隔に対応するように形成してなる円弧状欠歯部との双方を有する第１被動歯車であって前記単一の歯群にて前記第１駆動歯車の前記一連の歯に前記所定の等角度間隔にて噛合して前記逆方向回転する第１被動歯車と、
この第１被動歯車に同軸的に接合されるとともに前記第２駆動歯車に前記複数の歯群を介し噛合して前記第１被動歯車とともに前記逆方向回転する第２被動歯車と、
前記表示パネルの裏面端部から相対回動可能に延出されて前記第２被動歯車と相対回動不能に連結してなる連結レバーとを具備しており、
前記第２駆動歯車における前記複数の歯群のうちの１つの歯群の前記逆方向回転の方向端側の歯との前記第２被動歯車による上方からの噛合を、前記被動歯車手段の前記駆動歯車手段との前記第１噛合位置に対応させ、
前記第１駆動歯車の前記１つの歯との前記第１被動歯車の前記逆方向回転の方向端側の歯による下方からの噛合を、前記被動歯車手段の前記駆動歯車手段との前記第２噛合位置に対応させて、
前記被動歯車手段は、前記電動機の停止状態において、前記第１被動歯車の前記逆方向回転の方向端側の歯にて前記第１駆動歯車の前記一連の歯のうちの１つの歯に上方から噛合しているとき前記連結レバーを介して前記表示パネルを前記格納位置に維持し、前記第１被動歯車の前記一方向回転の方向端側の歯にて前記第１駆動歯車の前記一連の歯のうちの１つの歯に下方から噛合しているとき前記連結レバーを介し前記表示パネルを前記演出表示位置に維持し、また、前記第１及び第２の駆動歯車による前記電動機の前記一方向回転に伴う前記第２噛合位置から前記第１噛合位置への前記同一方向回転の際には、前記第１及び第２の被動歯車にて前記逆方向回転して前記連結レバーを介し前記表示パネルを前記演出表示位置から前記格納位置へ上動させるようになっており、
前記表示パネルが前記格納位置にあるときに前記第２駆動歯車が前記電動機の前記一方向回転に応じて前記第１噛合位置から前記同一方向回転すると、前記第２被動歯車が前記第２駆動歯車の前記１つの歯群との噛合のもとに前記逆方向回転して前記第２駆動歯車の前記逆方向回転の方向端側の歯との噛合から解離して前記円弧状欠歯部を介して空転し前記連結レバーを介して前記表示パネルを前記演出表示位置まで瞬時に落下させるようにしたことを特徴とする請求項２に記載の可動式演出表示装置。
【請求項４】
前記駆動歯車手段は、前記第２駆動歯車を介し前記第１駆動歯車に対向するように前記第２駆動歯車に同軸的に接合してなる第３駆動歯車であって前記第１駆動歯車の各歯と同位相角にて対応する各歯を有してなる第３駆動歯車を備えており、
前記被動歯車手段は、前記第２被動歯車を介し前記第１被動歯車に対向するように前記第２被動歯車に同軸的に接合してなる第３被動歯車であって前記第１被動歯車の前記一方向回転の方向端側に位置する歯に同位相角にて対応する歯を有してなる第３被動歯車を備え、前記連結レバーにて、前記第３被動歯車を介し前記第２被動歯車と相対回動不能に連結されており、
前記第１被動歯車が前記一方向回転の方向端側に位置する歯にて前記第１駆動歯車の前記１つの歯に下方から噛合するとき、前記第３被動歯車が、その歯にて、この歯に対応して位置する前記第３駆動歯車の前記歯に下方から噛合することを特徴とする請求項３に記載の可動式演出表示装置。
【請求項５】
前記表示パネルの前記裏面端部にて互いに対向するように設けてなる両上下両側回動規制板と、
前記連結レバーの前記表示パネルとの連結部よりも前記下側回動規制板とは反対側にて前記上側回動規制板に対向するように前記表示パネルの前記裏面端部に設けた板状錘とを備えて、
前記上側回動規制板と前記下側回動規制板及び前記板状錘との間の各対向辺は、前記連結レバーの回動範囲を前記表示パネルの前記格納位置と前記演出表示位置との間に対応する回動範囲に規制するように形成されていることを特徴とする請求項３または４に記載の可動式演出表示装置。
【請求項６】
大当たり抽選の機会を与えるように遊技球が入賞する始動入賞口を設けてなる遊技盤と、この遊技盤の中央開口部を通しその前方を臨むように固定的に支持される表示器を有する演出画像表示装置と、遊技状態に応じて前記表示器にて演出画像を変動表示するように前記演出画像表示装置を制御する制御手段とを備えるパチンコ遊技機において、
前記演出画像表示装置を主演出画像表示装置とすることで、副演出画像表示装置として設けられる請求項３または４に記載の可変表示装置と、
前記副演出画像表示装置の前記表示パネルが前記格納位置にあるときこれに対応する前記駆動歯車手段の格納側回転位置を検出する格納回転位置検出手段と、
前記表示パネルの所定の中間位置に対応する前記第２被動歯車の前記逆方向回転の方向端側の歯との噛合からの解離位置を表す前記駆動歯車手段の中間側回転位置を検出する中間回転位置検出手段と、
前記表示パネルが前記演出表示位置にあるときこれに対応する前記被動歯車手段の演出表示回転位置を検出する演出表示回転位置検出手段とを備えて、
前記制御手段は、
前記表示パネルが前記格納位置にあることが前記格納回転位置検出手段により検出されたとき、前記副演出画像表示装置の前記駆動手段に対する駆動指令の際に、前記表示パネルを前記演出表示位置に向けて瞬時に落下させるべく、前記電動機を前記一方向回転させるように制御する第１の一方向回転制御手段と、
前記表示パネルが前記所定の中間位置に達したことが前記中間回転位置検出手段により検出されたとき、前記電動機の前記一方向回転を停止させるように当該電動機を制御する一方向回転停止制御手段と、
前記表示パネルが前記演出表示位置に達したことが前記演出表示回転位置検出手段により検出されたとき、前記遊技状態が確変遊技状態或いは時短遊技状態にあれば、当該確変遊技状態或いは時短遊技状態に対する演出変動表示を前記表示パネルにて行うように前記副演出画像表示装置を制御する演出表示制御手段と、
前記表示パネルによる演出変動表示中において前記遊技状態が次の大当たり遊技状態の開始直前になったとき、前記表示パネルを前記格納位置まで移動させるべく、前記電動機を前記一方向回転させるように制御する第２の一方向回転制御手段とを備えるパチンコ遊技機。
【請求項７】
前記演出表示制御手段は、前記始動入賞口への遊技球の入賞に伴う保留数が３或いは４になったとき、大当たりを予測させるように前記表示パネルにて演出表示変動を行うべく、前記副演出画像表示装置を制御するようになっていることを特徴とする請求項６に記載のパチンコ遊技機。
【手続補正２】
【補正対象書類名】明細書
【補正対象項目名】０００８
【補正方法】変更
【補正の内容】
【０００８】
上記課題の解決にあたり、本発明は、請求項１の記載によれば、パチンコ遊技機の遊技盤（Ｂａ）に設けられる可動式演出表示装置であって、
遊技盤と当該遊技盤に形成した中央開口部（１３）を通しその前方を臨むように固定的に支持される表示器（１７１）と遊技盤との間に移動可能に介装される表示パネル（１８０ａ）を備えて、
被動歯車手段（ＧＧ２）は、駆動歯車手段（ＧＧ１）との第１噛合位置にて停止状態にあるとき表示パネルを遊技盤の上記中央開口部の上側に位置する格納位置に維持し、駆動歯車手段との第２噛合位置にて停止状態にあるとき表示パネルを遊技盤の上記中央開口部を通しその前方を表示面により臨むべく位置する演出表示位置に維持し、また、駆動歯車手段による上記第２噛合位置から上記第１噛合位置への一方向回転の際には、逆方向回転して表示パネルを上記演出表示位置から前記格納位置へ上動させるようになっており、
表示パネルが上記格納位置にあるときに駆動歯車手段が上記第１噛合位置から上記一方向回転すると、被動歯車手段が駆動歯車手段から解離して表示パネルを上記演出表示位置まで瞬時に落下させるようにした可動式演出表示装置である。
【手続補正３】
【補正対象書類名】明細書
【補正対象項目名】０００９
【補正方法】変更
【補正の内容】
【０００９】
これによれば、可動式演出表示装置は、上述のごとく、表示パネルにて、遊技盤の中央開口部を通しその前方を臨むように固定的に支持される表示器と遊技盤との間に移動可能に介装されるものである。
【手続補正４】
【補正対象書類名】明細書
【補正対象項目名】００１２
【補正方法】変更
【補正の内容】
【００１２】
また、本発明は、請求項２の記載によれば、パチンコ遊技機の遊技盤（Ｂａ）に設けられる可動式演出表示装置であって、
遊技盤と当該遊技盤に形成した中央開口部（１３）を通しその前方を臨むように固定的に支持される表示器（１７１）との間に介装される表示パネル（１８０ａ）と、遊技盤の裏側に設けられる駆動手段（１８０ｃ）とを備える。
【手続補正５】
【補正対象書類名】明細書
【補正対象項目名】００１３
【補正方法】変更
【補正の内容】
【００１３】
ここで、この駆動手段は、電動機（１８５）と、この電動機の一方向回転に伴い当該電動機とともに同一方向回転する駆動歯車群（ＧＧ１）と、この駆動歯車群と噛合して当該駆動歯車群とは逆方向回転するように構成されて表示パネルを支持する被動歯車手段（ＧＧ２）とを具備し、
被動歯車手段は、電動機の停止状態にて駆動歯車手段との第１噛合位置にあるとき表示パネルを遊技盤の上記中央開口部の上側に位置する格納位置に維持し、電動機の停止状態にて駆動歯車手段との第２噛合位置にあるとき表示パネルを遊技盤の上記中央開口部を通しその前方を表示面により臨むべく位置する演出表示位置に維持し、また、駆動歯車手段による電動機の上記一方向回転に伴う上記第２噛合位置から上記第１噛合位置への上記同一方向回転の際には、上記逆方向回転して表示パネルを上記演出表示位置から上記格納位置へ上動させるようになっており、
表示パネルが上記格納位置にあるときに駆動歯車手段が電動機の上記一方向回転に応じて上記第１噛合位置から上記同一方向回転すると、被動歯車手段が駆動歯車手段から解離して表示パネルを上記格納位置から上記演出表示位置まで瞬時に落下させるようにした。
【手続補正６】
【補正対象書類名】明細書
【補正対象項目名】００１４
【補正方法】変更
【補正の内容】
【００１４】
これによれば、可動式演出表示装置は、上述のごとく、表示パネルにて、遊技盤の中央開口部を通しその前方を臨むように固定的に支持される表示器と遊技盤との間に移動可能に介装されるものである。
【手続補正７】
【補正対象書類名】明細書
【補正対象項目名】００１７
【補正方法】変更
【補正の内容】
【００１７】
また、本発明は、請求項３の記載によれば、請求項２に記載の可動式演出表示装置において、駆動歯車手段は、
一連の歯（１９１ｂ）を所定の等角度間隔にて有し電動機の上記一方向回転に伴い上記同一方向回転する第１駆動歯車（１９１）と、
所定数の歯（１９２ｃ）からなる複数の歯群（１９２ｂ）を等角度間隔にて有し、第１駆動歯車に同軸的に接合されて当該第１駆動歯車とともに上記同一方向回転する第２駆動歯車であって上記各所定数の歯（１９２ｃ）のうち電動機の上記一方向回転に対する逆方向回転の方向端側に位置する歯（Ｔａ）にて第１駆動歯車の上記各歯と同一位相角にて位置するように形成してなる第２駆動歯車（１９２）とを具備してなり、
被動歯車手段は、
複数の歯（１９５ｂ）からなる単一の歯群（１９５ｃ）とこの単一の歯群の上記複数の歯（１９５ｂ）のうち電動機の上記一方向回転の方向端側及び上記逆方向回転の方向端側にそれぞれ位置する各歯（Ｔｂ、Ｔｃ）の間に上記所定の等角度間隔に対応するように形成してなる円弧状欠歯部（１９５ｄ）との双方を有する第１被動歯車であって上記単一の歯群（１９５ｃ）にて第１駆動歯車の上記一連の歯（１９１ｂ）に上記所定の等角度間隔にて噛合して上記逆方向回転する第１被動歯車（１９５）と、
この第１被動歯車に同軸的に接合されるとともに第２駆動歯車に上記複数の歯群（１９２ｂ）を介し噛合して第１被動歯車とともに上記逆方向回転する第２被動歯車（１９６）と、
表示パネルの裏面端部から相対回動可能に延出されて第２被動歯車と相対回動不能に連結してなる連結レバー（１８６）とを具備しており、
第２駆動歯車における上記複数の歯群（１９２ｂ）のうちの１つの歯群（１９２ｂ）の上記逆方向回転の方向端側の歯（Ｔａ）との第２被動歯車による上方からの噛合を、被動歯車手段の駆動歯車手段との上記第１噛合位置に対応させ、
第１駆動歯車の上記１つの歯（１９１ｂ）との第１被動歯車の上記逆方向回転の方向端側の歯（Ｔｃ）による下方からの噛合を、被動歯車手段の駆動歯車手段との上記第２噛合位置に対応させて、
被動歯車手段は、電動機の停止状態において、第１被動歯車の上記逆方向回転の方向端側の歯（Ｔｃ）にて第１駆動歯車の上記一連の歯のうちの１つの歯（１９１ｂ）に上方から噛合しているとき連結レバーを介して表示パネルを上記格納位置に維持し、第１被動歯車の前記一方向回転の方向端側の歯（Ｔｂ）にて第１駆動歯車の上記一連の歯のうちの１つの歯（１９１ｂ）に下方から噛合しているとき連結レバーを介し表示パネルを上記演出表示位置に維持し、また、第１及び第２の駆動歯車による電動機の上記一方向回転に伴う上記第２噛合位置から上記第１噛合位置への上記同一方向回転の際には、第１及び第２の被動歯車にて上記逆方向回転して連結レバーを介し表示パネルを上記演出表示位置から上記格納位置へ上動させるようになっており、
表示パネルが上記格納位置にあるときに第２駆動歯車が電動機の上記一方向回転に応じて上記第１噛合位置から上記同一方向回転すると、第２被動歯車が第２駆動歯車の上記１つの歯群との噛合のもとに上記逆方向回転して第２駆動歯車の上記逆方向回転の方向端側の歯（Ｔａ）との噛合から解離して上記円弧状欠歯部を介して空転し連結レバーを介して表示パネルを上記演出表示位置まで瞬時に落下させるようにしたことを特徴とする。
【手続補正８】
【補正対象書類名】明細書
【補正対象項目名】００１８
【補正方法】変更
【補正の内容】
【００１８】
これによれば、表示パネルの格納位置から演出表示位置への移動は次のようにしてなされる。即ち、表示パネルが上記格納位置における維持状態にあるとき、電動機を一方向回転させれば、第２被動歯車が、第１駆動歯車と共に電動機と同一方向に回転する第２駆動歯車の１つの歯群との噛合により第１及び第２の駆動歯車とは逆方向に回転して、第２被動歯車の逆回転方向の方向端側の歯との噛合から解離して、円弧状欠歯部を介し空転する。これに伴い、表示パネルが上記演出表示位置まで瞬時に落下する。その結果、請求項２に記載の発明の作用効果がより一層具体的に達成され得る。
【手続補正９】
【補正対象書類名】明細書
【補正対象項目名】００１９
【補正方法】変更
【補正の内容】
【００１９】
また、本発明は、請求項４の記載によれば、請求項３に記載の可動式演出表示装置において、駆動歯車手段は、第２駆動歯車を介し第１駆動歯車に対向するように第２駆動歯車に同軸的に接合してなる第３駆動歯車であって第１駆動歯車の各歯と同位相角にて対応する各歯を有してなる第３駆動歯車（１９３）を備えており、
被動歯車手段は、第２被動歯車を介し第１被動歯車に対向するように第２被動歯車に同軸的に接合してなる第３被動歯車であって第１被動歯車の上記一方向回転の方向端側に位置する歯（Ｔｂ）に同位相角にて対応する歯（１９７ｂ）を有してなる第３被動歯車（１９７）を備え、連結レバーにて、第３被動歯車を介し第２被動歯車と相対回動不能に連結されており、
第１被動歯車が上記一方向回転の方向端側に位置する歯（Ｔｂ）にて第１駆動歯車の上記１つの歯に下方から噛合するとき、第３被動歯車が、その歯にて、この歯に対応して位置する第３駆動歯車の上記歯に下方から噛合することを特徴とする。
【手続補正１０】
【補正対象書類名】明細書
【補正対象項目名】００２０
【補正方法】変更
【補正の内容】
【００２０】
このように、駆動歯車手段が上述のような構成にて第３駆動歯車を備えるとともに被動歯車手段が上述のような構成にて第３被動歯車を備えることで、第１被動歯車が上記一方向回転の方向端側に位置する歯にて第１駆動歯車の上記１つの歯に下方から噛合するとき、第３被動歯車が、その歯にて、この歯に対応して位置する第３駆動歯車の上記歯に下方から噛合する。従って、上述のように表示パネルが瞬時に落下しても、第１及び第３の被動歯車が、第１及び第３の駆動歯車により歯の損傷を招くことなくしっかりと支持され得る。その結果、請求項３に記載の発明の作用効果がより一層確実に達成され得る。
【手続補正１１】
【補正対象書類名】明細書
【補正対象項目名】００２１
【補正方法】変更
【補正の内容】
【００２１】
また、本発明は、請求項５の記載によれば、請求項３または４に記載の可動式演出表示装置において、
表示パネルの上記裏面端部にて互いに対向するように設けてなる両上下両側回動規制板（１８８、１８９）と、
連結レバーの表示パネルとの連結部よりも下側回動規制板とは反対側にて上側回動規制板に対向するように表示パネルの上記裏面端部に設けた板状錘（Ｗ）とを備えて、
上側回動規制板と下側回動規制板及び板状錘との間の各対向辺は、連結レバーの回動範囲を表示パネルの上記格納位置と上記演出表示位置との間に対応する回動範囲に規制するように形成されていることを特徴とする。
【手続補正１２】
【補正対象書類名】明細書
【補正対象項目名】００２３
【補正方法】変更
【補正の内容】
【００２３】
また、本発明に係るパチンコ遊技機は、請求項６の記載によれば、
大当たり抽選の機会を与えるように遊技球が入賞する始動入賞口（５１）を設けてなる遊技盤（Ｂａ）と、この遊技盤の中央開口部（１３）を通しその前方を臨むように固定的に支持される表示器（１７１）を有する演出画像表示装置（１７０）と、遊技状態に応じて表示器にて演出画像を変動表示するように演出画像表示装置を制御する制御手段（４００ｂ、４００ｃ）とを備える。
当該パチンコ遊技機において、演出画像表示装置を主演出画像表示装置とすることで、副演出画像表示装置（１８０）として設けられる請求項３または４に記載の可変表示装置と、
副演出画像表示装置の表示パネルが上記格納位置にあるときこれに対応する駆動歯車手段の格納側回転位置（Ｐ１）を検出する格納回転位置検出手段（Ｓ６）と、
表示パネルの所定の中間位置に対応する第２被動歯車の上記逆方向回転の方向端側の歯（Ｔａ）との噛合からの解離位置を表す駆動歯車手段の中間側回転位置（Ｐ２）を検出する中間回転位置検出手段（Ｓ７）と、
表示パネルが上記演出表示位置にあるときこれに対応する被動歯車手段の演出表示回転位置（Ｐ３）を検出する演出表示回転位置検出手段（Ｓ８）とを備えて、
制御手段は、
表示パネルが上記格納位置にあることが格納回転位置検出手段により検出されたとき、副演出画像表示装置の駆動手段に対する駆動指令の際に、表示パネルを上記演出表示位置に向けて瞬時に落下させるべく、電動機を上記一方向回転させるように制御する第１の一方向回転制御手段（９２００、９２１０）と、
表示パネルが上記所定の中間位置に達したことが中間回転位置検出手段により検出されたとき、電動機の上記一方向回転を停止させるように当該電動機を制御する一方向回転停止制御手段（９３００、９３１０）と、
表示パネルが上記演出表示位置に達したことが演出表示回転位置検出手段により検出されたとき、上記遊技状態が確変遊技状態或いは時短遊技状態にあれば、当該確変遊技状態或いは時短遊技状態に対する演出変動表示を表示パネルにて行うように副演出画像表示装置を制御する演出表示制御手段（９５００、９５００ａ、９５１０）と、
表示パネルによる演出変動表示中において上記遊技状態が次の大当たり遊技状態の開始直前になったとき、表示パネルを上記格納位置まで移動させるべく、電動機を上記一方向回転させるように制御する第２の一方向回転制御手段（９６００、９７００、９８００、９８１０）とを備える。
【手続補正１３】
【補正対象書類名】明細書
【補正対象項目名】００２４
【補正方法】変更
【補正の内容】
【００２４】
これによれば、表示パネルの格納位置から演出表示位置への移動は次のような制御を経てなされる。即ち、表示パネルが上記格納位置にあることが検出されると、副演出画像表示装置の駆動手段に対する駆動指令の際に、電動機が一方向回転するように制御される。これに伴い、表示パネルが上記所定の中間位置に達したことが検出されたとき、電動機の一方向回転を停止させることで、第１及び第２の駆動歯車が停止する。このとき、第２被動歯車は、第２駆動歯車の上記逆回転方向端側の歯との噛合から解離する。
【手続補正１４】
【補正対象書類名】明細書
【補正対象項目名】００２５
【補正方法】変更
【補正の内容】
【００２５】
これに伴い、第１及び第２の被動歯車が、第１及び第２の駆動歯車とは非噛合状態となり、表示パネルが上記演出表示位置まで瞬時に落下する。その結果、請求項３または４に記載の発明の作用効果を良好に達成し得る可動式演出表示装置を備えたパチンコ遊技機の提供が可能となる。
【手続補正１５】
【補正対象書類名】明細書
【補正対象項目名】００２９
【補正方法】削除
【補正の内容】
【手続補正１６】
【補正対象書類名】明細書
【補正対象項目名】００３０
【補正方法】削除
【補正の内容】